(57)【要約】【課題】種々の異なるサイズの容器を容易且つ確実に装填することを可能にする。【解決手段】第１角部保持機構６４は、支軸７８を支点に揺動可能な角部受け部材８０と、前記角部受け部材８０が揺動することを規制するロック機構８２と、前記ロック機構８２による規制を解除して前記角部受け部材８０を揺動可能にするロック解除機構８４とを備える。ロック機構８２は、角部受け部材８０に設けられるロッド９０の他端９０ｂに係合する係止部材１００を備える一方、ロック解除機構８４はカセッテ先端部に当接するローラ１０４と、このローラ１０４を装着して揺動可能な揺動アーム１０６と、前記揺動アーム１０６に係合し、前記係止部材１００を揺動させるリンク片１１０とを備えている。【選択図】図３
2006085082.tif 000002
【特許請求の範囲】
【請求項１】
画像記録担体を収容する２種以上の幅寸法の異なる容器が着脱自在に装填されるとともに、前記容器の装填方向先端部の両方の角部が位置決め保持される画像記録担体用装填装置であって、
相対的に幅寸法の小さな第１の容器の装填方向先端部の一方の角部を保持する保持機構を備え、
前記保持機構は、前記第１の容器の装填方向先端部と平行する支軸を支点に揺動可能な角部受け部材と、
前記第１の容器が前記角部受け部材に保持される際、該角部受け部材が揺動することを規制するロック機構と、
前記第１の容器よりも幅寸法の大きな第２の容器が前記角部受け部材に当接する際、前記ロック機構による規制を解除して該角部受け部材を前記第２の容器から離間する方向に揺動させるロック解除機構と、
を備えることを特徴とする画像記録担体用装填装置。
【請求項２】
請求項１記載の画像記録担体用装填装置において、前記角部受け部材は、前記装填方向に向かって前記第１の容器の他方の角部側に傾斜し、前記第１容器の一方の角部を保持位置に案内する第１傾斜面と、
前記装填方向に向かって容器厚さ方向に傾斜し、前記第２の容器が接触する際に前記角部受け部材を揺動させる第２傾斜面と、
を有することを特徴とする画像記録担体用装填装置。
【請求項３】
請求項１又は２記載の画像記録担体用装填装置において、前記ロック機構は、スプリングを介して前記角部受け部材に係合し、該角部受け部材の揺動を規制する係止部材を備える一方、
前記ロック解除機構は、前記角部受け部材より装填方向上流に変位自在に配設され、前記第２の容器が接触する際に前記係止部材を前記角部受け部材から離脱させるロック解除部材を備えることを特徴とする画像記録担体用装填装置。
【請求項４】
請求項１乃至３のいずれか１項に記載の画像記録担体用装填装置において、前記ロック機構は、前記角部受け部材に規定力以上の負荷が作用する際に、前記角部受け部材の揺動を許容するロック開放構造を備えることを特徴とする画像記録担体用装填装置。
【発明の詳細な説明】
【技術分野】
【０００１】
本発明は、画像記録担体を収容する２種以上の幅寸法の異なる容器が着脱自在に装填される画像記録担体用装填装置に関する。
【背景技術】
【０００２】
人体等の放射線画像を記録する画像記録担体としてＸ線写真フイルムが知られている。また、Ｘ線写真フイルムに代えて、放射線（Ｘ線、α線、β線、γ線、電子線、紫外線等）を照射すると、その放射線エネルギの一部を蓄積し、後にレーザ光や可視光等の励起光を照射することで、蓄積されたエネルギに応じた輝尽発光を示す蓄積性蛍光体層を有する蓄積性蛍光体シートも多用されている。
【０００３】
これらの画像記録担体は、通常、遮光性のカセッテやマガジン等の容器に収納した状態で取り扱われる。カセッテは、シート状の画像記録担体を１枚ずつ収納するとともに、取り出し口（及び取り入れ口）が開閉自在な蓋体を備えている。このカセッテが用いられるシステムでは、例えば、予め放射線画像情報を記録した画像記録担体が収容されたカセッテを装填するカセッテ装填部と、ロック解除により開蓋された前記カセッテから取り出された前記画像記録担体に担持されている放射線画像情報を読み取る読取部と、前記画像記録担体に残存する放射線画像情報を消去する消去部とを組み込むカセット方式の画像情報読取装置が採用されている。
【０００４】
ところで、画像記録担体は、多種類の異なるサイズを有しており、例えば、メトリック用、インチ用、マンモ用等が使用されている。従って、これらの画像記録担体を収容するカセッテは、多種類の異なるサイズに設定されている。このため、上記の画像情報読取装置内には、各種異なるサイズのカセッテを装填可能にするための工夫がなされている。
【０００５】
例えば、特許文献１では、図１０に示すように、装填装置１の一方の側部には、カセッテ２ａ〜２ｄの一方の側部を位置決めする基準固定ガイド３が設けられており、この基準固定ガイド３の先端には、基準ロック解除ピン４が設けられている。基準固定ガイド３から矢印Ａ方向にそれぞれカセッテ２ａ〜２ｄの幅寸法に対応して離間する位置にロック解除ピン５ａ〜５ｄが配設されるとともに、前記ロック解除ピン５ａ〜５ｃは可動ガイド６ａ〜６ｃに設けられている。
【０００６】
可動ガイド６ａ〜６ｃは、先端に傾斜面７ａ〜７ｃを有しており、図示しないスプリングを介してカセッテ摺動面８の内方に進退自在である。ロック解除ピン５ｄは、装填装置１の他方の側部に設けられる固定ガイド９に対応して配置されている。
【０００７】
このような構成において、例えば、カセッテ２ｃが装填装置１に挿入されると、このカセッテ２ｃは、可動ガイド６ａ、６ｂの傾斜面７ａ、７ｂに当接して前記可動ガイド６ａ、６ｂを摺動面８の内方に移動させる。このため、カセッテ２ｃは、基準固定ガイド３と可動ガイド６ｃとに位置決めされた状態で、基準ロック解除ピン４及びロック解除ピン５ｃにより開蓋される。
【０００８】
【特許文献１】特開平１１−３３４８９６号公報（第１８図）
【発明の開示】
【発明が解決しようとする課題】
【０００９】
ところが、上記の特許文献１では、例えば、カセッテ２ａが基準固定ガイド３から離間して装填されると、このカセッテ２ａが可動ガイド６ａの傾斜面７ａに当接し、この可動ガイド６ａが摺動面８の内方に移動するおそれがある。このため、ロック解除ピン５ａがカセッテ２ａから離間してしまい、このカセッテ２ａが所望の位置に装填されない場合がある。
【００１０】
本発明はこの種の装填装置に関するものであり、種々の異なるサイズの容器を容易且つ確実に装填することが可能な画像記録担体用装填装置を提供することを目的とする。
【課題を解決するための手段】
【００１１】
本発明は、画像記録担体を収容する２種以上の幅寸法の異なる容器が着脱自在に装填されるとともに、前記容器の装填方向先端部の両方の角部が位置決め保持される画像記録担体用装填装置であり、相対的に幅寸法の小さな第１の容器の装填方向先端部の一方の角部を保持する保持機構を備えている。
【００１２】
保持機構は、第１の容器の装填方向先端部と平行する支軸を支点に揺動可能な角部受け部材と、前記第１の容器が前記角部受け部材に保持される際、該角部受け部材が揺動することを規制するロック機構と、前記第１の容器よりも幅寸法の大きな第２の容器が前記角部受け部材に当接する際、前記ロック機構による規制を解除して該角部受け部材を前記第２の容器から離間する方向に揺動させるロック解除機構とを備えている。
【００１３】
また、角部受け部材は、装填方向に向かって第１の容器の他方の角部側に傾斜し、前記第１容器の一方の角部を保持位置に案内する第１傾斜面と、前記装填方向に向かって容器厚さ方向に傾斜し、前記第２の容器が接触する際に前記角部受け部材を揺動させる第２傾斜面とを有することが好ましい。
【００１４】
さらに、ロック機構は、スプリングを介して角部受け部材に係合し、前記角部受け部材の揺動を規制する係止部材を備える一方、ロック解除機構は、前記角部受け部材より装填方向上流に変位自在に配設され、第２の容器が接触する際に前記係止部材を前記角部受け部材から離脱させるロック解除部材を備えることが好ましい。
【００１５】
さらにまた、ロック機構は、角部受け部材に規定力以上の負荷が作用する際に、前記角部受け部材の揺動を許容するロック開放構造を備えることが好ましい。
【００１６】
例えば、第１の容器が位置ずれした状態で強引に押し込まれる際、角部受け部材が揺動して前記第１の容器が損傷することを阻止することができる。
【発明の効果】
【００１７】
本発明によれば、角部受け部材がロック機構を介して保持されており、幅寸法の小さな第１の容器は、前記角部受け部材に沿って容易且つ確実に位置決め保持される。一方、第１の容器よりも幅寸法の大きな第２の容器が角部受け部材に当接する際に、ロック機構による前記角部受け部材のロック状態が解除されるため、前記角部受け部材が前記第２の容器から離間する方向に揺動する。
【００１８】
これにより、第２の容器は、角部受け部材によって装填動作が阻止されることがなく、前記第２の容器を別の角部受け部材を介して良好に位置決め保持することができる。従って、種々の異なるサイズの容器を容易且つ確実に装填することが可能になる。
【発明を実施するための最良の形態】
【００１９】
図１は、本発明の画像記録担体用装填装置が適用される画像読取装置１０の内部構成図である。
【００２０】
画像読取装置１０は、ケーシング１２の上部に本実施形態に係るカセッテ装填部（装填装置）１４を備え、このカセッテ装填部１４に形成された装填口１５に対して、放射線画像情報が蓄積記録された画像記録担体、例えば、蓄積性蛍光体シート１６ａ、１６ｂ又は１６ｃを収容したカセッテ（容器）１８ａ、１８ｂ又は１８ｃが着脱自在に装填される。
【００２１】
カセッテ１８ａ〜１８ｃは、それぞれ蓄積性蛍光体シート１６ａ〜１６ｃを収容する本体部２０と、前記蓄積性蛍光体シート１６ａ〜１６ｃを出し入れさせるための開口部２２を形成する蓋部材２４とを備える。２種以上、例えば、３種の幅寸法の異なるカセッテ１８ａ〜１８ｃは、前記カセッテ１８ａの幅寸法が最小に設定される一方、前記カセッテ１８ｃの幅寸法が最大に設定される。このカセッテ１８ａ〜１８ｃに収容される蓄積性蛍光体シート１６ａ〜１６ｃは、それぞれの幅寸法が、順次、大きく設定される。
【００２２】
画像読取装置１０の内部の装填口１５に近接する部位には、カセッテ１８ａ（１８ｂ、１８ｃ）の蓋部材２４のロックを解除するロック解除機構２８と、前記蓋部材２４が開蓋されたカセッテ１８ａ（１８ｂ、１８ｃ）から蓄積性蛍光体シート１６ａ（１６ｂ、１６ｃ）を吸着して取り出す吸着盤３０と、前記吸着盤３０によって取り出された前記蓄積性蛍光体シート１６ａ（１６ｂ、１６ｃ）を挟持搬送するニップローラ３２とが配設される。
【００２３】
ニップローラ３２に連設して、複数の搬送ローラ３４ａ〜３４ｈ及び複数のガイド板３６ａ〜３６ｉが配置され、これらにより湾曲搬送路３８が構成される。ニップローラ３２と搬送ローラ３４ａとの間には、読取処理が終了した蓄積性蛍光体シート１６ａ（１６ｂ、１６ｃ）に残存する放射線画像情報を消去するための消去ユニット３９が配設される。消去ユニット３９は、消去光を出力する冷陰極管等の消去光源４１を有する。
【００２４】
画像読取装置１０の略中央部には、励起光であるレーザビームＬを導出して蓄積性蛍光体シート１６ａ（１６ｂ、１６ｃ）を走査する走査ユニット４０が配設される。走査ユニット４０は、レーザビームＬを出力するレーザ発振器４２と、レーザビームＬを蓄積性蛍光体シート１６ａ（１６ｂ、１６ｃ）の主走査方向に偏向する回転多面鏡であるポリゴンミラー４４と、レーザビームＬを反射させ、ガイド板３６ｅ上を通過する蓄積性蛍光体シート１６ａ（１６ｂ、１６ｃ）に導く反射ミラー４６とを備える。
【００２５】
搬送ローラ３４ｅと走査ユニット４０との間には、読取ユニット４８が配設される。読取ユニット４８は、一端部がガイド板３６ｅ上の蓄積性蛍光体シート１６ａ（１６ｂ、１６ｃ）に近接して配置される集光ガイド５０と、集光ガイド５０の他端部に連結され、蓄積性蛍光体シート１６ａ（１６ｂ、１６ｃ）から得られた輝尽発光光を電気信号に変換するフォトマルチプライヤ５２とを備える。
【００２６】
カセッテ装填部１４は、図２に示すように、カセッテ１８ａ〜１８ｃの装填方向先端部の同一側の角部（他方の角部）を保持する基準角部保持機構６０を備える。基準角部保持機構６０は、ケーシング１２内に設けられるブラケット６２の矢印Ｂ１方向端部に設けられる。この基準角部保持機構６０から矢印Ｂ２方向にそれぞれ所定距離ずつ離間して、カセッテ１８ａの一方の角部を保持する第１角部保持機構６４と、カセッテ１８ｂの一方の角部を保持する第２角部保持機構６６とが変位可能に設けられる。ブラケット６２の矢印Ｂ２方向端部には、カセッテ１８ｃの一方の角部を保持する固定角部保持機構６８が設けられる。
【００２７】
基準角部保持機構６０は、カセッテ１８ａ〜１８ｃの同一側面を装填方向（矢印Ｃ方向）に案内するためのガイド面７０と、前記ガイド面７０の下端部に固定され、前記カセッテ１８ａ〜１８ｃの他方の角部を保持する角部受け７２とを備える。角部受け７２に対向して、ロック解除機構２８を構成する基準ロック解除ピン７４が進退自在に配設される。
【００２８】
図３〜図５に示すように、第１角部保持機構６４は、カセッテ１８ａ〜１８ｃの装填方向先端部と平行する（矢印Ｂ方向に延在する）支軸７８を支点に揺動可能な角部受け部材８０と、前記カセッテ１８ａが前記角部受け部材８０に保持される際、該角部受け部材８０が揺動することを規制するロック機構８２と、前記カセッテ１８ａよりも幅寸法の大きな前記カセッテ１８ｂ、１８ｃが前記角部受け部材８０に当接する際、前記ロック機構８２による規制を解除して該角部受け部材８０を揺動可能にするロック解除機構８４とを備える。
【００２９】
支軸７８は、ブラケット８６に支持されるとともに、前記支軸７８には、揺動ベース８８の一端側が揺動可能に支持される。揺動ベース８８には、角部受け部材８０が固定される一方、前記揺動ベース８８の他端側にロッド９０が配設される。ロッド９０の一端９０ａとブラケット８６との間には、スプリング９２が介装されて前記揺動ベース８８が前記ブラケット８６に係合する方向（カセッテ１８ａを案内する位置）に付勢されている。
【００３０】
ロッド９０の他端９０ｂは、ブラケット８６に形成された長孔９４に配設され、前記ロッド９０の他端９０ｂ側と揺動ベース８８とにスプリング９６が介装される。ロッド９０、長孔９４及びスプリング９６によりロック解放構造９８が構成される。
【００３１】
ロック機構８２は、ロッド９０の他端９０ｂに係合する係止部材１００を備え、この係止部材１００と支軸７８とにスプリング１０２が介装される。係止部材１００には、段部１００ａが形成されるとともに、前記係止部材１００がスプリング１０２を介して引張されることにより、前記段部１００ａがロッド９０の他端９０ｂに係合し、揺動ベース８８の揺動が規制される。
【００３２】
ロック解除機構８４は、角部受け部材８０より装填方向上流に変位自在に配設されるローラ（ロック解除部材）１０４を備える。ローラ１０４は、揺動アーム１０６の一端部に回転自在に支持されるとともに、前記揺動アーム１０６の他端部には、ブラケット８６に固着された軸１０８が挿入される。揺動アーム１０６の途上にリンク片１１０の一端部が係合しており、前記リンク片１１０の他端部には、係止部材１００が係合する。
【００３３】
図３及び図４に示すように、角部受け部材８０は、カセッテ１８ａの装填方向（矢印Ｃ方向）に向かって前記カセッテ１８ａの他方の角部側に傾斜し、前記カセッテ１８ａの一方の角部を案内する第１傾斜面１１２ａと、装填方向に向かって前記カセッテ１８ａの厚さ方向に傾斜し、他のカセッテ１８ｂ、１８ｃが接触する際に、前記角部受け部材８０を揺動させる第２傾斜面１１２ｂとを有する。角部受け部材８０の下端部側には、角部受け１１４が設けられる。
【００３４】
図２に示すように、第２角部保持機構６６は、矢印Ｃ方向に延在する支軸１１６を支点にして揺動自在な揺動板１１８を備える。この揺動板１１８は、図６に示すように、スプリング１０２を介して常時引張されている。揺動板１１８に角部受け部材１２０が装着される。この角部受け部材１２０は、装填方向に向かって第１角部保持機構６４側に傾斜し、カセッテ１８ｂの一方の角部を案内する第１傾斜面１２２ａと、前記装填方向に向かってカセッテ厚さ方向に傾斜し、カセッテ１８ｃが接触する際に、前記角部受け部材１２０を揺動させる第２傾斜面１２２ｂとを有する（図２参照）。
【００３５】
第１傾斜面１２２ａの下端部には、カセッテ１８ｂの一方の角部を保持する角部受け１２６が設けられるとともに、この角部受け１２６の下方には、ロック解除機構２８を構成するロック解除ピン１２８が昇降自在に配設される。
【００３６】
固定角部保持機構６８は、カセッテ１８ｃの一方の角部を案内するとともに、矢印Ｃ方向に対して内方に傾斜するガイド面１３０を設け、前記ガイド面１３０の下方に角部受け１３２が設けられる。角部受け１３２の下方には、ロック解除機構２８を構成するロック解除ピン１３４が昇降自在に配設される。
【００３７】
本実施形態に係るカセッテ装填部１４及びこれを組み込む画像読取装置１０は、以上のように構成されるものであり、次に、その動作について説明する。
【００３８】
先ず、例えば、放射線画像情報が記録された蓄積性蛍光体シート１６ａを収納したカセッテ１８ａは、画像読取装置１０に供給される。カセッテ１８ａは、蓋部材２４を下にしてカセッテ装填部１４の装填口１５に装填される。このカセッテ１８ａは、基準角部保持機構６０と第１角部保持機構６４との案内作用下に保持位置に挿入される。
【００３９】
具体的には、図２に示すように、カセッテ１８ａは、基準角部保持機構６０を構成するガイド面７０に沿って基準側側面が案内されるとともに、反対側の側面は、第１角部保持機構６４を構成する角部受け部材８０の第１傾斜面１１２ａに沿って案内される。
【００４０】
第１傾斜面１１２ａは、矢印Ｃ方向に向かって基準角部保持機構６０側に傾斜しており、カセッテ１８ａは、この第１傾斜面１１２ａの案内作用下に一方の角部が角部受け１１４に向かうとともに、他方の角部が角部受け７２に向かって移動する。このため、カセッテ１８ａの装填方向先端部の両方の角部は、角部受け１１４、７２によって位置決め保持される。さらに、カセッテ１８ａは、基準ロック解除ピン７４が略上方に移動することにより、蓋部材２４のロックが解除される。
【００４１】
次いで、図１に示すように、カセッテ１８ａ内の蓄積性蛍光体シート１６ａは、吸着盤３０の吸引作用下に前記カセッテ１８ａから取り出される。カセッテ１８ａから取り出された蓄積性蛍光体シート１６ａの先端がニップローラ３２に挟持されるのと略同時に、吸着盤３０による前記蓄積性蛍光体シート１６ａの吸着保持が解除される。
【００４２】
これにより、蓄積性蛍光体シート１６ａは、ニップローラ３２の回転作用下に鉛直下方向に向かって搬送される。この蓄積性蛍光体シート１６ａは、搬送ローラ３４ａ〜３４ｈ及びガイド板３６ａ〜３６ｉからなる湾曲搬送路３８によって搬送される。
【００４３】
蓄積性蛍光体シート１６ａは、搬送ローラ３４ｄ、３４ｅ間で副走査搬送されるとともに、走査ユニット４０から射出されたレーザビームＬが副走査方向と直交する主走査方向に蓄積性蛍光体シート１６ａを走査する。すなわち、レーザ発振器４２から出力されたレーザビームＬは、高速で回転するポリゴンミラー４４によって反射偏向された後、反射ミラー４６を介して蓄積性蛍光体シート１６ａに導かれる。
【００４４】
一方、レーザビームＬが照射された蓄積性蛍光体シート１６ａは、蓄積記録されている放射線画像情報に応じた輝尽発光光を出力する。この輝尽発光光は、蓄積性蛍光体シート１６ａの主走査方向に沿って近接配置された集光ガイド５０を介して読取ユニット４８を構成するフォトマルチプライヤ５２に導かれる。
【００４５】
このようにして放射線画像情報の読み取られた蓄積性蛍光体シート１６ａは、搬送ローラ３４ｈ側まで搬送された後、湾曲搬送路３８により逆転搬送され、搬送ローラ３４ａ、ニップローラ３２間に配置される消去ユニット３９を通してカセッテ１８ａに収容される。
【００４６】
このとき、消去ユニット３９を構成する消去光源４１が点灯し、出力される消去光が蓄積性蛍光体シート１６ａに照射されることで、残存する放射線エネルギが除去される。放射線エネルギの除去された蓄積性蛍光体シート１６ａを収容したカセッテ１８ａは、画像読取装置１０から抜き取られた後、次なる放射線画像情報の撮影に供される。
【００４７】
ところで、カセッテ１８ａよりも幅寸法の大きなカセッテ１８ｂがカセッテ装填部１４の装填口１５に装填されると、このカセッテ１８ｂは、基準角部保持機構６０と第２角部保持機構６６とに案内される（図２参照）。その際、カセッテ１８ｂは、第１角部保持機構６４のロック解除機構８４を構成するローラ１０４に当接する。
【００４８】
このため、図７に示すように、ローラ１０４を設ける揺動アーム１０６は、軸１０８を支点に矢印Ｄ方向に揺動し、前記揺動アーム１０６に一端が係合するリンク片１１０は、矢印Ｅ方向に変位する。リンク片１１０の他端には、係止部材１００が係合しており、この係止部材１００は、リンク片１１０が矢印Ｅ方向に変位することによって、スプリング１０２の弾性力に抗して矢印Ｆ方向に揺動する。従って、係止部材１００は、ロッド９０の他端９０ｂから離間してロック機構８２による前記ロッド９０のロック状態が解除される。
【００４９】
次いで、カセッテ１８ｂの装填方向先端部は、第１角部保持機構６４を構成する角部受け部材８０の第２傾斜面１１２ｂに当接する。これにより、角部受け部材８０には、第２傾斜面１１２ｂの傾斜によって内方（図８中、矢印Ｇ方向）への押圧力が作用し、前記角部受け部材８０が装着される揺動ベース８８は、支軸７８を支点にしてスプリング９２の弾性力に抗して矢印Ｇ方向に揺動する。このため、角部受け部材８０は、カセッテ１８ｂの装填軌跡上から退避し、この角部受け部材８０が前記カセッテ１８ｂの装填の障害となることはない。
【００５０】
図２に示すように、カセッテ１８ｂの側面は、第２角部保持機構６６の角部受け部材１２０を構成する第１傾斜面１２２ａに沿って案内され、前記カセッテ１８ｂの装填方向先端部の両角部が角部受け７２、１２６に位置決め保持される。このカセッテ１８ｂでは、基準ロック解除ピン７４及びロック解除ピン１２８が上昇することにより、蓋部材２４のロック解除が行われる。
【００５１】
さらにまた、カセッテ１８ｂよりも幅寸法の大きなカセッテ１８ｃがカセッテ装填部１４に装填される。このカセッテ１８ｃは、ロック解除機構８４に係合して第１角部保持機構６４のロック機構８２によるロックを解除する一方、第２角部保持機構６６を構成する角部受け部材１２０の第２傾斜面１２２ｂに当接する。従って、角部受け部材１２０は、支軸１１６を支点にして揺動変位し、前記カセッテ１８ｃの装填に干渉することはない。
【００５２】
これにより、カセッテ１８ｃは、固定角部保持機構６８のガイド面１３０の案内作用下に、角部受け７２、１３２に装填方向先端部の両角部が位置決め保持される。そして、基準ロック解除ピン７４及びロック解除ピン１３４が上昇することにより、蓋部材２４のロックが解除される。
【００５３】
この場合、本実施形態では、第１角部保持機構６４を構成する角部受け部材８０は、ロック機構８２を介して揺動動作が規制されている。このため、カセッテ１８ａが角部受け部材８０に当接する際、この角部受け部材８０が支軸７８を支点にして揺動することがない。従って、カセッテ１８ａは、基準角部保持機構６０のガイド面７０及び角部受け部材８０の第１傾斜面１１２ａの案内作用下に矢印Ｃ方向に移動し、前記カセッテ１８ａの装填方向先端部の両角部は、角部受け７２、１１４に容易且つ確実に位置決め保持される。
【００５４】
ところで、カセッテ１８ａがガイド面７０から矢印Ｂ２方向に離間した状態で装填され、このカセッテ１８ａの装填方向先端部が角部受け部材８０の第２傾斜面１１２ｂに当接する場合がある。その際、角部受け部材８０は、ロック機構８２によって揺動が規制されており、このカセッテ１８ａの装填に干渉して前記カセッテ１８ａの誤装填が知覚される。
【００５５】
しかしながら、この状態で、カセッテ１８ａがさらに矢印Ｃ方向に押圧されるおそれがあるが、本実施形態では、このカセッテ１８ａの押圧力を介してロック解放構造９８が付勢される。
【００５６】
具体的には、角部受け部材８０がロック機構８２によりロックされた状態で、図９に示すように、矢印Ｇ方向に前記ロック機構８２が破損するおそれがある力（規定力）以上の負荷が作用すると、ロッド９０は、スプリング９６の弾性力に抗して長孔９４に沿って移動する。このため、ロッド９０の他端９０ｂは、係止部材１００の段部１００ａから離脱し、ロック機構８２による前記ロッド９０の係止作用が解除される。従って、角部受け部材８０が支軸７８を支点にして矢印Ｇ方向に揺動し、カセッテ１８ａの他、ロック機構８２の破損を確実に阻止することができるという利点がある。
【００５７】
さらに、本実施形態では、角部受け部材８０の上流側に、ロック機構８２による規制を解除するためのロック解除機構８４を構成するローラ１０４が配設されている。これにより、カセッテ１８ａよりも幅寸法の大きなカセッテ１８ｂ、１８ｃが装填される際、前記カセッテ１８ｂ、１８ｃの装填方向先端部は、角部受け部材８０に当接する前にローラ１０４に当接する。
【００５８】
このため、揺動アーム１０６の揺動作用下に、係止部材１００がロッド９０から離脱し、カセッテ１８ｂ、１８ｃの装填方向先端部が角部受け部材８０の第２傾斜面１１２ｂに当接すると、この角部受け部材８０は、支軸７８を支点にして揺動する。従って、カセッテ１８ｂ、１８ｃは、角部受け部材８０によって装填動作が阻止されることがなく、前記カセッテ１８ｂ、１８ｃの装填が良好且つ確実に遂行されるという効果が得られる。
【図面の簡単な説明】
【００５９】
【図１】本発明の画像記録担体用装填装置が適用される画像読取装置の内部構成図である。
【図２】前記画像記録担体用装填装置を含むカセッテ装填部の正面説明図である。
【図３】前記画像記録担体用装填装置を構成する第１角部保持機構の一方からの斜視説明図である。
【図４】前記第１角部保持機構の他方からの斜視説明図である。
【図５】前記第１角部保持機構の背面説明図である。
【図６】前記画像記録担体用装填装置を構成する第２角部保持機構の背面説明図である。
【図７】前記第１角部保持機構の動作説明図である。
【図８】前記第１角部保持機構の動作説明図である。
【図９】前記第１角部保持機構の動作説明図である。
【図１０】特許文献１のカセッテ装填部の説明図である。
【符号の説明】
【００６０】
１０…画像読取装置                  １４…カセッテ装填部
１６ａ〜１６ｃ…蓄積性蛍光体シート  １８ａ〜１８ｃ…カセッテ
２８、８４…ロック解除機構          ３０…吸着盤
３４ａ〜３４ｈ…搬送ローラ          ３６ａ〜３６ｉ…ガイド板
３９…消去ユニット                  ４０…走査ユニット
４８…読取ユニット                  ６０…基準角部保持機構
６４、６６…角部保持機構            ６８…固定角部保持機構
７０、１３０…ガイド面              ７２、１１４、１２６、１３２…角部受け
７８…支軸                          ８０、１２０…角部受け部材
８２…ロック機構                    ８８…揺動ベース
９０…ロッド                        ９２、９６、１０２…スプリング
９４…長孔                          ９８…ロック解放構造
１００…係止部材                    １０４…ローラ
１０６…揺動アーム                  １０８…軸
１１０…リンク片
１１２ａ、１１２ｂ、１２２ａ、１２２ｂ…傾斜面
【図１】
2006085082.tif 000003
【図２】
2006085082.tif 000004
【図３】
2006085082.tif 000005
【図４】
2006085082.tif 000006
【図５】
2006085082.tif 000007
【図６】
2006085082.tif 000008
【図７】
2006085082.tif 000009
【図８】
2006085082.tif 000010
【図９】
2006085082.tif 000011
【図１０】
2006085082.tif 000012